(57)【要約】【課題】肌の抑毛処理をより効果的に行うことができる抑毛装置を提供すること。【解決手段】抑毛装置１００は、光を用いて肌の抑毛処理を行う装置であって、肌に密着させることが可能なシート部材２１０と、シート部材に配置され、近傍の肌の温度を検出する温度センサ２２０と、シート部材２１０の、温度センサ２２０の位置と対応する位置に配置され、温度センサ２２０の検出結果に応じて、温度センサ２２０の近傍の肌に対して光を照射する動作を行う発光素子２３０と、を有する。【選択図】図３
2015164511.tif 000002
【特許請求の範囲】
【請求項１】
光を用いて肌の抑毛処理を行う抑毛装置であって、
前記肌に密着させることが可能なシート部材と、
前記シート部材に配置され、近傍の前記肌の温度を検出する温度センサと、
前記シート部材の、前記温度センサの位置と対応する位置に配置され、前記温度センサの検出結果に応じて、前記温度センサの近傍の前記肌に対して前記光を照射する動作を行う発光素子と、を有する、
抑毛装置。
【請求項２】
前記発光素子は、
対応する前記肌の温度が所定の閾値以上となったことを条件として、前記光の照射を停止する、
請求項１に記載の抑毛装置。
【請求項３】
前記温度センサおよび前記発光素子は、
前記シート部材を分割した複数の分割領域のそれぞれに配置され、
前記分割領域毎に、当該分割領域に配置された前記温度センサの検出値に基づいて、当該分割領域に配置された前記発光素子の動作を決定する動作決定部、を有する、
請求項２に記載の抑毛装置。
【請求項４】
前記シート部材は、
前記複数の分割領域の間を区画し、前記分割領域のそれぞれで出力された前記光が、他の前記分割領域に対応する前記肌へ照射されるのを抑制する、遮光壁を有する、
請求項３に記載の抑毛装置。
【請求項５】
前記動作決定部は、
前記発光素子のそれぞれに電流が供給される給電区間が、前記複数の発光素子の少なくとも一部の間で重複しないように、前記複数の発光素子のそれぞれの動作を決定する、
請求項４に記載の抑毛装置。
【請求項６】
前記発光素子は、
所定の出力、周期、およびデューティ比で、断続的に発光する、
請求項１に記載の抑毛装置。
【請求項７】
前記シート部材に配置され、前記肌の状態を検出する肌状態センサ、を更に有し、
前記発光素子は、
前記肌状態センサの検出結果に応じて、前記光の照射量を変化させる、
請求項１に記載の抑毛装置。
【請求項８】
光を用いて肌の抑毛処理を行う抑毛方法であって、
前記肌に密着させることが可能なシート部材に配置された温度センサにおいて、当該温度センサの近傍の前記肌の温度を検出するステップと、
前記シート部材の、前記温度センサの位置と対応する位置に配置され、前記温度センサの近傍の前記肌に対して前記光を照射する発光素子を、前記温度センサの検出結果に応じて動作させるステップと、を有する、
抑毛方法。
【発明の詳細な説明】
【技術分野】
【０００１】
本開示は、抑毛装置および抑毛方法に関する。
【背景技術】
【０００２】
従来、肌に光を照射することによって肌の抑毛処理を行う装置（以下「抑毛装置」という）が存在する（例えば、特許文献１参照）。
【０００３】
特許文献１に記載の抑毛装置（以下「従来技術」という）は、取っ手の付いた筐体の内部に、光の放射パルスを出力する放射源と、光が照射された肌の温度を検出する検出器とを有する。そして、従来技術は、検出された肌の温度に基づいて、パルス照射量を制御するように、構成されている。
【０００４】
ユーザは、例えば、放射パルスの照射口を抑毛処理を行いたい部分に当てる。これにより、従来技術は、温度上昇による抑毛以外の肌への影響を抑えつつ、肌の抑毛処理を行うことができる。
【先行技術文献】
【特許文献】
【０００５】
【特許文献１】特表２００４−５２９７０５号公報
【特許文献２】特開２０１３−１６８５７５号公報
【特許文献３】国際公開第２０１３／１５１１２８号
【特許文献４】特開２０１３−１７９１０７号公報
【非特許文献】
【０００６】
【非特許文献１】相原聡、久保田節、「有機撮像デバイスの研究動向」、ＮＨＫ技研  Ｒ＆Ｄ  Ｎｏ．１３２、ＮＨＫ放送技術研究所、２０１２年３月、ＰＰ．４−１１
【非特許文献２】木下雅登、山崎雅子、永沼香織、奥野要、松崎貴、乃木田俊辰、「低キセノンフラッシュによる肌質改善・毛成長抑制法」、パナソニック電工技報  Ｖｏｌ.５８  Ｎｏ.２、パナソニック電工、２０１０年６月、ｐ．１３−１８
【発明の概要】
【発明が解決しようとする課題】
【０００７】
しかしながら、従来技術は、ユーザに掛ける負担が大きい。
【０００８】
本開示は、抑毛処理におけるユーザの負担を軽減することができる抑毛装置を提供する。
【課題を解決するための手段】
【０００９】
本開示の一態様に係る抑毛装置は、光を用いて肌の抑毛処理を行う抑毛装置であって、前記肌に密着させることが可能なシート部材と、前記シート部材に配置され、近傍の前記肌の温度を検出する温度センサと、前記シート部材の、前記温度センサの位置と対応する位置に配置され、前記温度センサの検出結果に応じて、前記温度センサの近傍の前記肌に対して前記光を照射する動作を行う発光素子と、を有する。
【００１０】
なお、これらの包括的または具体的な態様は、方法で実現されてもよい。
【発明の効果】
【００１１】
本開示の抑毛装置によれば、抑毛処理におけるユーザの負担を軽減することができる。
【図面の簡単な説明】
【００１２】
【図１】本開示の実施の形態１に係る抑毛装置の構成の一例を示す図
【図２】本開示の実施の形態２に係る抑毛装置の外観および使用状態の一例を示す図
【図３】本実施の形態２におけるシートデバイスの構成の一例を示す図
【図４】本実施の形態２における温度センサの概略構造の一例を示す図
【図５】本実施の形態２に係る抑毛装置の機能構成の一例を示す図
【図６】本実施の形態２におけるブロック情報テーブルの一例を示す図
【図７】本実施の形態２に係る抑毛装置の動作の一例を示すフローチャート
【図８】本開示の実施の形態２に係る抑毛装置の外観および使用状態の他の例を示す図
【発明を実施するための形態】
【００１３】
（基礎となった知見）
ユーザは、従来技術を用いる場合、取っ手を掴んで筐体を持ち上げ、抑毛処理を行うべき部分に照射口を当てる作業を行うことになるが、このような作業がし難い部位もある。また、抑毛の対象が比較的広範囲である場合、ユーザは、更に、抑毛処理を行うべき範囲において照射口を少しずつ移動させる作業を、何度も行う必要がある。これらの作業は、ユーザにとって、労力的あるいは時間的に負担が大きい。すなわち、従来技術は、ユーザに掛ける負担が大きい。
【００１４】
以下、本開示の各実施の形態について、図面を参照して詳細に説明する。
【００１５】
（実施の形態１）
本開示の実施の形態１は、本開示の基本的態様の一例である。
【００１６】
図１は、本実施の形態に係る抑毛装置の構成の一例を示す図である。
【００１７】
図１において、抑毛装置１００は、光を用いて肌の抑毛処理を行う装置である。抑毛装置１００は、シート部材２１０、第１〜第Ｍの温度センサ２２０１〜２２０Ｍ、および、第１〜第Ｎの発光素子２３０１〜２３０Ｎを有する。
【００１８】
シート部材２１０は、肌に密着させることが可能な部材である。
【００１９】
第１〜第Ｍの温度センサ２２０１〜２２０Ｍは、シート部材２１０に配置され、近傍の肌の温度をそれぞれ検出する。
【００２０】
第１〜第Ｎの発光素子２３０１〜２３０Ｎは、シート部材２１０の、第１〜第Ｍの温度センサ２２０１〜２２０Ｍの位置とそれぞれ対応する位置に配置されている。そして、第１〜第Ｎの発光素子２３０１〜２３０Ｎは、それぞれ、対応する温度センサ２２０の検出結果に応じて、当該温度センサ２２０の近傍の肌に対し、抑毛処理に用いられる光を照射する動作を行う。
【００２１】
このような抑毛装置１００は、シート部材２１０を肌に貼り付けた状態で光照射を行うことができ、かつ、肌の各部分に対して、その部分の温度に応じた光照射を行うことができる。これにより、抑毛装置１００は、肌に取り付けられたまま放置された状態で抑毛処理を行うことが可能となり、抑毛処理におけるユーザの負担を軽減することができる。
【００２２】
なお、抑毛装置１００は、シート部材２１０に、温度センサ２２０を、複数ではなく１つのみ配置していてもよい。また、抑毛装置１００は、発光素子２３０を、複数ではなく１つのみ配置していてもよい。
【００２３】
（実施の形態２）
本開示の実施の形態２は、本開示を、顔の肌に貼り付けることが可能な微小なシートに適用した場合の、具体的態様の一例である。
【００２４】
＜抑毛装置の外観および構成＞
まず、本実施の形態にかかる抑毛装置の外観および構成について説明する。
【００２５】
＜抑毛装置の外観＞
図２は、本実施の形態に係る抑毛装置の外観および使用状態の一例を示す図である。
【００２６】
図２に示すように、抑毛装置１００は、シートデバイス２００および制御部３００を有する。
【００２７】
シートデバイス２００は、例えば、眉の長さよりも少し長い矩形を有する、シート状のデバイスである。
【００２８】
シートデバイス２００は、伸縮性および柔軟性を有するシート部材を母材としている。また、シートデバイス２００は、表面張力により、肌５００に密着した状態を維持することができるようになっている。このため、シートデバイス２００は、例えば、図２に示すように、その長辺の一辺が眉の上側の外形に沿うように変形させた状態で、眉の上の肌に貼り付けることが可能となっている。シート部材としては、例えば、アクリロイル基末端ウレタンポリマーおよびアクリル系モノマーを含有するエネルギー線硬化性組成物の硬化物（特許文献２参照）を採用することができる。なお、十分な密着性を確保するために、スプリットガム、シリコン接着剤、あるいはラテックス接着剤等の、生体適合性のある粘着剤が併用されてもよい。
【００２９】
母材であるシート部材のうち肌に密着する側の表面には、複数の温度センサおよび複数の発光素子（図示せず）が、配置されている。温度センサおよび発光素子の配置を含むシートデバイス２００の詳細な構成については、後述する。
【００３０】
なお、シートデバイス２００は、髭が生える部分等、顔の他の部分にも、適用することができる。
【００３１】
制御部３００は、プラスチック等の素材から成る筐体により保護された装置部である。制御部３００は、後述するが、各温度センサおよび各発光素子の動作を制御する機能を有する。制御部３００は、ケーブル４００を介して、シートデバイス２００に接続されている。
【００３２】
ケーブル４００は、図示しないが、制御部３００と各温度センサおよび各発光素子とを接続する信号線を含む。なお、ケーブル４００は、例えば、シートデバイス２００が顔に貼り付けられた状態において、ユーザの服のポケットに制御部３００を収納できる程度の長さを有することが望ましい。
【００３３】
＜シートデバイスの構成＞
図３は、シートデバイス２００の構成の一例を示す図である。なお、ここでは、シートデバイス２００の全体のうち代表的な部分のみを図示する。
【００３４】
図３において、シートデバイス２００は、シート部材２１０に、温度センサ２２０および発光素子２３０が埋め込まれた構成を有する。
【００３５】
温度センサ２２０の温度検出面は、シート部材２１０の肌に密着する側の面（以下「内側面」という）において露出している。すなわち、温度センサ２２０は、シートデバイス２００が肌に貼り付けられた状態において、近傍の肌の温度を検出する。温度センサ２２０としては、例えば、有機薄膜トランジスタの有機分子層をフタロシアニンナノサイズ構造物で形成した温度センサを採用することができる（例えば、特許文献３参照）。
【００３６】
図４は、有機薄膜トランジスタを用いた場合の温度センサ２２０の概略構造の一例を示す図である。
【００３７】
図４に示すように、温度センサ２２０は、伸縮性母材６２１の表面に配置されたゲート電極層６２２の上に、ゲート絶縁層６２３および有機分子層６２４を積層した構成を有する。また、温度センサ２２０は、有機分子層６２４の表面に、ソース電極６２５およびドレイン電極６２６を離隔して配置した構成を有する。なお、シート部材２１０の一部は、温度センサ２２０の伸縮性母材６２１を構成していてもよい。
【００３８】
図３の発光素子２３０の発光面は、シート部材２１０の内側面において露出している。すなわち、発光素子２３０は、シートデバイス２００が肌に貼り付けられた状態において、近傍の肌に対して、抑毛効果のある所定の光を照射する。発光素子２３０は、例えば、抑毛処理のための所定の光を出力する、ＬＥＤ（light emitting diode）素子あるいは複数のＬＥＤ素子から成る発光ユニットである。発光素子２３０としては、例えば、特許文献４に記載の、発光ポリマーを利用し、印刷によって作成される、有機ＬＥＤ素子を採用することができる。
【００３９】
ここで、抑毛効果のある所定の光とは、例えば、８００〜１０００ｎｍの波長の近赤外領域の光であって、肌表面において１０ｍＷ／ｃｍ２の照射量を実現する強度の光である。この場合、発光素子２３０は、ブロック２１２内の全ての肌領域において、１０ｍＷ／ｃｍ２の照射量を実現できるような分布（密度）で、シート部材２１０に配置される。
【００４０】
上記照射量は、従来技術の光の照射量に比べて小さい。しかしながら、このような弱い光照射であっても、真皮層に存在する毛根のメラニンに対して、発熱によるストレスを与えることができる。そして、数日に亘って繰り返し光照射を行う等、処理時間の増加によって積算照射量を増大させることにより、毛根を不活性化させ、毛の成長を抑制することができる（非特許文献２参照）。
【００４１】
シート部材２１０は、図３に示すように、格子状に形成され、シート部材を複数の領域に分割する、遮光壁２１１を有する。そして、シートデバイス２００は、遮光壁２１１によって区画される複数の分割領域（以下「ブロック」という）２１２毎に、１つの温度センサ２２０と４つの発光素子２３０とを有している。ブロック２１２の大きさは、例えば、５ｍｍ〜１０ｍｍ角である。
【００４２】
遮光壁２１１は、シート部材２１０の材料に、生体適合性材料であるカーボンを添加して得られる材料等、光透過性が低い材料から成る。また、遮光壁２１１は、シート部材２１０の厚さと同一の高さを有する。したがって、遮光壁２１１は、ブロック間での光の透過を遮る機能を有する。
【００４３】
このような遮光壁２１１は、ブロック２１２のそれぞれで発光素子２３０から出力された光が、他のブロック２１２に対応する肌へと照射されるのを抑制することができる。遮光壁２１１は、例えば、特許文献２に記載の、段階的にシート部材２１０を作製する手法により、形成することが可能である。
【００４４】
後述するが、抑毛装置１００は、全てのブロック２１２について一斉に光照射を開始した後、肌の温度が所定の閾値以上となったブロック２１２から、光照射を停止させる。遮光壁２１１は、光照射が停止されたブロック２１２に、光照射がまだ停止されていない他のブロック２１２からの光が漏えいするのを防止する。すなわち、抑毛装置１００は、遮光壁２１１の存在により、肌への光照射のブロック単位でのオンオフを、高精度に行うことが可能となっている。
【００４５】
なお、本実施の形態において、シートデバイス２００には、ほぼ均一な大きさのＬ個のブロック２１２が形成されているものとする。そして、シートデバイス２００の動作は、遮光壁２１１によって区画されるブロック２１２毎に、制御される。
【００４６】
＜抑毛装置の機能構成＞
図５は、抑毛装置１００の機能構成の一例を示す図である。
【００４７】
図５において、抑毛装置１００は、シートデバイス２００に配置された第１〜第Ｍの温度センサ２２０１〜２２０Ｍおよび第１〜第Ｎの発光素子２３０１〜２３０Ｎと、制御部３００に配置された情報格納部３１０および動作決定部３２０とを有する。
【００４８】
情報格納部３１０は、ブロック情報テーブルを、予め格納している。ブロック情報テーブルは、上述のブロック２１２毎に、どの温度センサ２２０および発光素子２３０が属するか、を規定するテーブルである。
【００４９】
図６は、ブロック情報テーブルの一例を示す図である。
【００５０】
図６に示すように、ブロック情報テーブル６１０は、ブロックの識別情報６１１に対応付けて、該当するブロック２１２に配置された１つの温度センサ２２０の識別情報６１２および４つの発光素子２３０の識別情報６１３を、記述している。
【００５１】
例えば、第１の温度センサ２２０１が温度を検出する肌の領域と、第１の温度センサ２２０１の周囲に配置された第１〜第４の発光素子２３０１〜２３０４が光を照射する肌の領域とは、対応している。したがって、ブロック２１２を単位として、温度センサ２２０の検出結果に基づいた発光素子２３０の動作の制御を行うことにより、各部の肌温度に応じた光照射を行うことが可能となる。
【００５２】
図５の動作決定部３２０は、制御部３００とシートデバイス２００とを接続するケーブル４００（図２参照）およびシートデバイス２００に埋め込まれた信号線（図示せず）を介して、第１〜第Ｍの温度センサ２２０１〜２２０Ｍおよび第１〜第Ｎの発光素子２３０１〜２３０Ｎのそれぞれに接続されている。
【００５３】
すなわち、動作決定部３２０は、各温度センサ２２０に対して制御信号を出力してその動作を制御し、各温度センサ２２０から出力される検出値を入力することができる。また、動作決定部３２０は、各発光素子２３０に対して制御信号を出力してその動作を制御することができる。
【００５４】
本実施の形態において、動作決定部３２０は、各ブロックに対して、同一の光照射パターンで、発光素子２３０を動作させるものとする。かかる光照射パターンは、例えば、所定の出力、周期、およびデューティ比での、断続的なパルス発光である。具体的には、光照射パターンは、例えば、各発光素子２３０を定格最大出力で発光させる３秒の出力期間と、発光を全く行わない５秒の出力停止期間、繰り返すパターンである。なお、出力期間は、０.０５秒の発光期間と０.０５秒の無発光区間との繰り返しから成ってもよい。
【００５５】
動作決定部３２０は、ブロック２１２毎に、当該ブロック２１２に配置された温度センサ２２０の検出値に基づいて、当該ブロック２１２に配置された発光素子２３０の動作を決定する。より具体的には、動作決定部３２０は、肌の温度が所定の閾値以上となったことを条件として、対応する発光素子２３０の光の照射を停止させる。所定の閾値は、動作決定部３２０あるいは情報格納部３１０に、予め設定されているものとする。所定の閾値は、例えば、４２度である。
【００５６】
なお、制御部３００は、図示しないが、例えば、ＣＰＵ（central processing unit）、制御プログラムを格納したＲＯＭ（read only memory）等の記憶媒体、およびＲＡＭ（random access memory）等の作業用メモリを有する。この場合、制御部３００の各部の機能は、ＣＰＵが制御プログラムを実行することにより実現される。
【００５７】
また、制御部３００は、図示しないが、電源部と、キースイッチ等の操作部とを有する。電源部は、上記ＣＰＵおよびシートデバイス２００を動作させるための電源を供給する。操作部は、ユーザから、抑毛処理を開始させる操作を含む各種操作を受け付ける。
【００５８】
このような構成により、抑毛装置１００は、シート部材２１０を肌に貼り付けた状態で光照射を行うことができ、かつ、肌の各部分に対して、低温火傷等を生じないように、その部分の温度に応じた光照射を行うことができる。
【００５９】
＜抑毛装置の動作＞
次に、抑毛装置１００の動作について説明する。
【００６０】
図７は、抑毛装置１００の動作の一例を示すフローチャートである。
【００６１】
抑毛装置１００は、ユーザの肌にシートデバイス２００が貼り付けられた状態で、ユーザにより動作開始を指示する操作が行われると、以下に説明する処理を開始する。
【００６２】
まず、ステップＳ１１００において、動作決定部３２０は、シートデバイス２００の全体について、各ブロック２１２における光照射を開始させる。
【００６３】
そして、ステップＳ１２００において、動作決定部３２０は、光照射中のブロック２１２の中から１つを選択する。なお、動作決定部３２０は、後述するステップＳ１８００に処理が移行する毎の１区間を、１つの処理の周期として扱う。
【００６４】
そして、ステップＳ１３００において、選択中のブロック２１２の温度センサ２２０は、肌温度を検出する。
【００６５】
そして、ステップＳ１４００において、動作決定部３２０は、検出された肌温度が所定の閾値（４２度）以上であるか否かを判断する。動作決定部３２０は、肌温度が所定の閾値以上である場合（Ｓ１４００：ＹＥＳ）、処理をステップＳ１５００へ進める。また、動作決定部３２０は、肌温度が所定の閾値未満である場合（Ｓ１４００：ＮＯ）、処理をステップＳ１６００へ進める。
【００６６】
ステップＳ１５００において、動作決定部３２０は、選択中のブロックの光照射を停止させて、処理をステップＳ１６００へ進める。
【００６７】
ステップＳ１６００において、動作決定部３２０は、今回の周期において、未だ選択していない、光照射中のブロック２１２が存在するか否かを判断する。動作決定部３２０は、未選択の光照射中のブロック２１２が存在する場合（Ｓ１６００：ＹＥＳ）、処理をステップＳ１７００へ進める。動作決定部３２０は、未選択の光照射中のブロック２１２が存在しない場合（Ｓ１６００：ＮＯ）、処理をステップＳ１８００へ進める。
【００６８】
ステップＳ１７００において、動作決定部３２０は、未選択の光照射中のブロック２１２の中から１つを選択して、処理をステップＳ１３００へ戻す。
【００６９】
ステップＳ１８００において、動作決定部３２０は、光照射中のブロック２１２が存在するか否かを判断する。動作決定部３２０は、光照射中のブロック２１２が存在する場合（Ｓ１８００：ＹＥＳ）、処理をステップＳ１９００へ進める。また、動作決定部３２０は、光照射中のブロック２１２が存在しない場合（Ｓ１８００：ＮＯ）、一連の処理を終了させる。
【００７０】
ステップＳ１９００において、動作決定部３２０は、ステップＳ１１００でシートデバイス２００全体の光照射を開始させてから、所定時間が経過したか否かを判断する。ここで、所定時間とは、例えば、低温火傷を防ぐのに十分に短い時間として、動作決定部３２０あるいは情報格納部３１０に予め設定された時間である。また、計時は、例えば、制御部３００に搭載されたタイマ（図示せず）を用いて行われる。
【００７１】
動作決定部３２０は、所定時間がまだ経過していない場合（Ｓ１９００：ＮＯ）、処理をステップＳ１２００へ戻す。また、動作決定部３２０は、所定時間が経過した場合（Ｓ１９００：ＹＥＳ）、一連の処理を終了させる。
【００７２】
このように、抑毛装置１００は、ブロック毎に、肌の温度を監視しながら、光照射を行う。このような動作により、抑毛装置１００は、温度上昇等による肌へのダメージを防ぎつつ、できるだけ積極的に、光照射を行うことができる。
【００７３】
ユーザは、例えば、毎日１回のシートデバイス２００の使用を、数日〜数週間継続する。これにより、肌の毛根を不活性化させ、抑毛を実現することができる。
【００７４】
＜抑毛装置の効果＞
以上のように、本実施の形態に係る抑毛装置１００は、シート部材２１０を肌に貼り付けた状態で光照射を行うことができ、かつ、ブロック毎に、肌の温度が所定の閾値に到達した時点で光照射を停止することができる。これにより、抑毛装置１００は、肌に取り付けられたまま放置された状態で安全に抑毛処理を行うことができ、抑毛処理におけるユーザの負担を軽減することができる。
【００７５】
また、本実施の形態に係る抑毛装置１００は、両手が空いた状態で肌の抑毛処理を行うことができるため、他の作業や動作を行いながら使用することができる。
【００７６】
また、このような本実施の形態に係る抑毛装置１００は、長時間継続して使用することができるので、低い光の照射量であっても、抑毛の効果を得ることができる。すなわち、本実施の形態に係る抑毛装置１００は、肌への負担をより確実に防ぐことができるだけでなく、光照射に必要な装置全体の最大電流値を低く抑えることができる。
【００７７】
なお、ブロック２１２の配置、制御対象となるブロック２１２、各ブロックにおける温度センサ２２０および発光素子２３０の配置および個数、およびブロック２１２の形状は、上述の例に限定されない。
【００７８】
＜光照射パターンの他の例＞
また、光照射は、上述の光照射パターンの通り、断続的に行うことにより、肌への負担を低減することが可能である。この場合、それぞれの発光素子２３０について、発光を行う区間と発光を行わない区間とが存在することになる。
【００７９】
そこで、動作決定部３２０は、発光素子２３０のそれぞれに電流が供給される給電区間（発光区間）が、第１〜第Ｎの発光素子２３０１〜２３０Ｎの少なくとも一部の間で重複しないように、各発光素子２３０動作を決定することが望ましい。
【００８０】
具体的には、動作決定部３２０は、例えば、複数のブロック２１２を、市松模様状に２つのブロック群に分け、２つのブロック群の間で光の出力期間が重複しないように、発光素子２３０の動作タイミングを制御する。また、動作決定部３２０は、例えば、各ブロック内に複数の発光素子２３０が配置されている場合において、ブロック内で各発光素子２３０の発光タイミングをずらす。
【００８１】
これにより、抑毛装置１００は、必要な最大電流値を、更に低減することができる。
【００８２】
＜肌状態に基づいて照射量を制御＞
また、肌の色や肌の水分量等、肌の状態によって、適切な照射量は異なる。例えば、より濃い色の肌は、より薄い色の肌よりも光のエネルギーを吸収し易いため、より低い照射量での抑毛処理が好ましい。また、例えば、ホクロやシミ等、肌の色が周囲に比べて濃い部分については、照射量を低く抑えることが望ましい。
【００８３】
したがって、抑毛装置１００は、例えば、シート部材２１０に配置され、肌の状態を検出する肌状態センサを有し、肌状態センサの検出結果に応じて、各発光素子２３０の光の照射量を変化させてもよい。
【００８４】
肌状態センサを色調センサとした場合、動作決定部３２０は、例えば、肌の色が濃いほど、発光素子２３０の出力をより小さくする。なお、このような照射量の制御は、シートデバイス２００全体で一斉に行ってもよいし、分割領域（ブロック２１２）毎に行ってもよい。後者の場合、抑毛装置１００は、分割領域毎に色調センサを設け、分割領域毎に、色調センサの検出結果に基づいて、照射量を決定する必要がある。この照射量の決定を行うには、例えば、動作決定部３２０が、色調と各発光素子２３０に設定すべき照射量（駆動電流値）とを予め対応付けて記述したテーブルを、参照すればよい。
【００８５】
色調センサとしては、例えば、非特許文献１に記載の、有機半導体によりＲＧＢの３原色を捉えることができるデバイスを採用することができる。但し、色調センサの受光面は、シート部材２１０の内側面の位置よりもシート部材２１０の内部側に、位置していることが望ましい。例えば、色調センサは、シート部材２１０の内側面が肌に密着した状態において、受光面が肌から１００マイクロメートル程度離隔するように配置される。
【００８６】
また、色調センサが肌の色を検出するのに必要な光源としては、例えば、発光素子２３０を用いてもよいし、シート部材２１０に同様に配置された、白色光を出力する別の発光素子を用いてもよい。
【００８７】
＜シート形状の他の例＞
また、以上説明した実施の形態では、シートデバイス２００が、顔の肌に貼り付けることが可能な微小なシートである場合について説明したが、シートデバイス２００の大きさおよび形状は、これに限定されない。
【００８８】
例えば、シートデバイス２００は、顔や身体の形状に沿うような立体形状を有していてもよい。
【００８９】
図８は、抑毛装置１００の外観および使用状態の他の例を示す図であり、図２に対応するものである。
【００９０】
図８に示すように、シートデバイス２００は、例えば、下腿部（すね、ふくらはぎ）７００を包む、筒形状を有する。シートデバイス２００は、シート部材２１０の伸縮性および柔軟性により、下腿部７００の形状に沿って変形し、下腿部７００の全体に密着する。また、シートデバイス２００は、シート部材２１０の弾力性と肌との間の摩擦力、および、表面張力により、下腿部７００に密着した状態を維持する。
【００９１】
このような抑毛装置１００は、より広い肌領域に対する抑毛処理を一度に行うことができる。
【００９２】
なお、シートデバイス２００は、平面形状であっても、伸縮性および柔軟性を有するため、ある程度は顔や身体の立体形状に沿わせて密着させることが可能である。例えば、２０ｃｍ×１０ｃｍ程度の大きさのシートデバイス２００であれば、首の後ろ、下腕、および下腹部等の部分の抑毛処理を行うのに適している。
【００９３】
なお、シートデバイス２００は、抑毛を行わない領域を設ける場合がある。例えば眉を含む額全体を覆うシートデバイス２００では眉の部分を抑毛の対象から外すことが望ましい場合が多い。そのような眉の領域は予め定められていてもよいがユーザがＰＣやスマホ等を通じて制御部３００に指定するのでもよい。また、インターネット等を通じてサーバ等に蓄積された眉の形をユーザが選定して制御部３００にダウンロードできるようにしてもよい。この場合、制御部３００は通信機能を必要とするのは言うまでもない。
【００９４】
＜その他の変形例＞
また、シートデバイス２００の肌に対する照射量は、発光素子２３０の出力性能、およびシート部材２００の耐熱性によっては、上述の例よりも高くすることが可能である。この場合、抑毛装置１００は、従来技術のように、毛根の細胞を破壊し、より効果的な抑毛（脱毛）を実現することができる。
【００９５】
また、以上説明した実施の形態２における制御部３００の機能の一部または全部は、携帯電話機等、他の機能を主目的とする装置に配置されていてもよい。
【００９６】
また、上記機能は、ネットワーク上のサーバに配置されていてもよい。すなわち、抑毛装置の一部の機能をクラウド化してもよい。この場合、動作決定部は、少なくとも通信部を備え、かかるサーバに肌の温度のデータを送信して、光照射の停止のタイミングを取得する必要がある。
【００９７】
また、抑毛装置１００は、ブロック毎に、そのブロックについての動作のみを行う動作決定部３２０を設けてもよい。この場合、動作決定部３２０は、例えば、温度センサ２２０の出力信号を所定の閾値と比較し、比較結果を発光素子２３０の制御信号として出力する比較回路としてもよい。
【００９８】
（本開示のまとめ）
本開示の抑毛装置は、光を用いて肌の抑毛処理を行う抑毛装置であって、前記肌に密着させることが可能なシート部材と、前記シート部材に配置され、近傍の前記肌の温度を検出する温度センサと、前記シート部材の、前記温度センサの位置と対応する位置に配置され、前記温度センサの検出結果に応じて、前記温度センサの近傍の前記肌に対して前記光を照射する動作を行う発光素子と、を有する。
【００９９】
なお、上記抑毛装置において、前記発光素子は、前記対応する前記肌の温度が所定の閾値以上となったことを条件として、前記光の照射を停止してもよい。
【０１００】
また、上記抑毛装置において、前記温度センサおよび前記発光素子は、前記シート部材を分割した複数の分割領域のそれぞれに配置され、前記分割領域毎に、当該分割領域に配置された前記温度センサの検出値に基づいて、当該分割領域に配置された前記発光素子の動作を決定する動作決定部、を有してもよい。
【０１０１】
また、上記抑毛装置において、前記シート部材は、前記複数の分割領域の間を区画し、前記分割領域のそれぞれで出力された前記光が、他の前記分割領域に対応する前記肌へ照射されるのを抑制する、遮光壁を有してもよい。
【０１０２】
また、上記抑毛装置において、前記動作決定部は、前記発光素子のそれぞれに電流が供給される給電区間が、前記複数の発光素子の少なくとも一部の間で重複しないように、前記複数の発光素子のそれぞれの動作を決定してもよい。
【０１０３】
また、上記抑毛装置において、前記発光素子は、所定の出力、周期、およびデューティ比で、断続的に発光してもよい。
【０１０４】
また、上記抑毛装置は、前記シート部材に配置され、前記肌の状態を検出する肌状態センサ、を更に有し、前記発光素子は、前記肌状態センサの検出結果に応じて、前記光の照射量を変化させてもよい。
【０１０５】
本開示の抑毛方法は、光を用いて肌の抑毛処理を行う抑毛方法であって、前記肌に密着させることが可能なシート部材に配置された温度センサにおいて、当該温度センサの近傍の前記肌の温度を検出するステップと、前記シート部材の、前記温度センサの位置と対応する位置に配置され、前記温度センサの近傍の前記肌に対して前記光を照射する発光素子を、前記温度センサの検出結果に応じて動作させるステップと、を有する。
【産業上の利用可能性】
【０１０６】
本開示は、抑毛処理におけるユーザの負担を軽減することができる抑毛装置および抑毛方法として有用である。
【符号の説明】
【０１０７】
１００  抑毛装置
２００  シートデバイス
２１０  シート部材
２１１  遮光壁
２１２  ブロック
２２０  温度センサ
２３０  発光素子
３００  制御部
３１０  情報格納部
３２０  動作決定部
４００  ケーブル
６２１  伸縮性母材
６２２  ゲート電極層
６２３  ゲート絶縁層
６２４  有機分子層
６２５  ソース電極
６２６  ドレイン電極
【図１】
2015164511.tif 000003
【図２】
2015164511.tif 000004
【図３】
2015164511.tif 000005
【図４】
2015164511.tif 000006
【図５】
2015164511.tif 000007
【図６】
2015164511.tif 000008
【図７】
2015164511.tif 000009
【図８】
2015164511.tif 000010